【手続補正書】
【提出日】平成27年4月27日(2015.4.27)
【手続補正１】
【補正対象書類名】明細書
【補正対象項目名】発明の名称
【補正方法】変更
【補正の内容】
【発明の名称】表示制御装置、その制御方法、およびプログラム
【手続補正２】
【補正対象書類名】明細書
【補正対象項目名】０００１
【補正方法】変更
【補正の内容】
【０００１】
本発明は、オブジェクトをその地図上の位置を示す位置属性に応じて画面に配置して表示するための表示制御装置、その制御方法、およびプログラムに関する。
【手続補正３】
【補正対象書類名】明細書
【補正対象項目名】０００７
【補正方法】変更
【補正の内容】
【０００７】
そこで、本発明の目的は、ユーザに負荷をかけることなく、複数のオブジェクトが配置された地図画面において所望の縮尺更新操作を行うための基準となる点の指定を正確に行うことのできる表示制御装置、その制御方法、およびプログラムを提供することにある。
【手続補正４】
【補正対象書類名】明細書
【補正対象項目名】０００８
【補正方法】変更
【補正の内容】
【０００８】
上記の目的を達成するため、本発明による表示制御装置は、地図画像の一部の範囲を前記地図画像の表示範囲として、表示部の表示領域に表示可能な表示制御装置であって、前記表示領域に表示される前記地図画像の前記表示範囲の縮尺を変更するための指示を受け付ける受け付け手段と、位置情報が対応づけられているオブジェクトを、前記表示領域の前記地図画像の前記表示範囲上のうち前記位置情報に基づく位置に表示させるよう制御する表示制御手段と、前記表示領域に表示されている少なくとも１つのオブジェクトのうち、少なくとも１つを基準オブジェクトとして特定する特定手段とを有し、前記受け付け手段により前記地図画像の前記表示範囲の縮尺を大きくするための指示が受け付けられた場合、前記表示制御手段は、前記基準オブジェクトが縮尺変更後も前記表示領域内に表示されるよう、縮尺変更後の前記地図画像の表示範囲を制御することを特徴とする。
【手続補正５】
【補正対象書類名】明細書
【補正対象項目名】０００９
【補正方法】変更
【補正の内容】
【０００９】
本発明による制御方法は、地図画像の一部の範囲を前記地図画像の表示範囲として、表示部の表示領域に表示可能な表示制御装置の制御方法であって、位置情報が対応づけられている少なくとも１つのオブジェクトを、前記表示領域の地図画像上のうち前記位置情報に基づく位置に表示させ、前記表示領域に表示されている前記少なくとも１つのオブジェクトのうち、少なくとも一つを基準オブジェクトとして特定し、前記表示領域に表示される地図画像の縮尺を変更するための指示を受け付け、前記地図画像の前記表示範囲の縮尺を大きくするための前記指示が受け付けられた場合、前記基準オブジェクトが、縮尺変更後も前記表示領域内に表示されるよう、縮尺変更後の地図画像の表示範囲を制御することを特徴とする。
【手続補正６】
【補正対象書類名】明細書
【補正対象項目名】００１０
【補正方法】変更
【補正の内容】
【００１０】
本発明によるプログラムは、コンピュータを上記の表示制御装置の各手段として機能させるためのコンピュータが読み取り可能なプログラムである。
【手続補正７】
【補正対象書類名】明細書
【補正対象項目名】００１２
【補正方法】変更
【補正の内容】
【００１２】
【図１】本発明の実施の形態による表示制御装置の１つである地図表示装置の構成についてその一例を示すブロック図である。
【図２】図１に示す地図表示装置によって行われる縮尺変更処理の一例を説明するための図であり、（ａ）は地図画面の表示範囲の一例を示す図、（ｂ）は地図画面の表示範囲の他の例を示す図である。
【図３】図１に示す地図表示装置で行われる縮尺変更処理を説明するためのフローチャートである。
【図４】図１に示す地図表示装置において既定領域に複数のオブジェクトが存在する場合の拡大処理を説明するための図であり、（ａ）は拡大処理前の地図図面を示す図、（ｂ）は（ａ）に示すオブジェクトの配置座標を示す図、（ｃ）は拡大処理後の地図画面を示す図である。
【図５】図１に示す地図表示装置において基準オブジェクト候補の明示を説明するための図である。
【図６】図１に示す地図表示装置において既定領域にオブジェクトが存在しない場合の拡大処理を説明するための図であり、（ａ）は拡大処理前の地図図面を示す図、（ｂ）は拡大処理後の地図画面を示す図である。
【手続補正８】
【補正対象書類名】明細書
【補正対象項目名】００１３
【補正方法】変更
【補正の内容】
【００１３】
以下、本発明の実施の形態による表示制御装置の１つである地図表示装置の一例について図面を参照して説明する。
【手続補正９】
【補正対象書類名】明細書
【補正対象項目名】００１４
【補正方法】変更
【補正の内容】
【００１４】
［地図表示装置の構成］
図１は、本発明の実施の形態による表示制御装置の１つである地図表示装置の構成についてその一例を示すブロック図である。
【手続補正１０】
【補正対象書類名】明細書
【補正対象項目名】００６３
【補正方法】変更
【補正の内容】
【００６３】
例えば、上記の実施の形態の機能を制御方法として、この制御方法を表示制御装置に実行させるようにすればよい。また、上述の実施の形態の機能を有するプログラムを表示制御装置が備えるコンピュータに実行させるようにしてもよい。なお、プログラムは、例えば、コンピュータに読み取り可能な記録媒体に記録される。
【手続補正１１】
【補正対象書類名】明細書
【補正対象項目名】００６４
【補正方法】削除
【補正の内容】
【手続補正１２】
【補正対象書類名】特許請求の範囲
【補正対象項目名】全文
【補正方法】変更
【補正の内容】
【特許請求の範囲】
【請求項１】
地図画像の一部の範囲を前記地図画像の表示範囲として、表示部の表示領域に表示可能な表示制御装置であって、
前記表示領域に表示される前記地図画像の前記表示範囲の縮尺を変更するための指示を受け付ける受け付け手段と、
位置情報が対応づけられているオブジェクトを、前記表示領域の前記地図画像の前記表示範囲上のうち前記位置情報に基づく位置に表示させるよう制御する表示制御手段と、
前記表示領域に表示されている少なくとも１つのオブジェクトのうち、少なくとも１つを基準オブジェクトとして特定する特定手段とを有し、
前記受け付け手段により前記地図画像の前記表示範囲の縮尺を大きくするための指示が受け付けられた場合、前記表示制御手段は、前記基準オブジェクトが縮尺変更後も前記表示領域内に表示されるよう、縮尺変更後の前記地図画像の表示範囲を制御することを特徴とする表示制御装置。
【請求項２】
前記特定手段は、前記少なくとも１つのオブジェクトのうち、前記表示領域の所定の位置から最も近い位置に表示されているオブジェクトを前記基準オブジェクトとして特定することを特徴とする請求項１に記載の表示制御装置。
【請求項３】
前記表示領域の前記所定の位置を基準とした所定の範囲に前記少なくとも１つのオブジェクトが表示されていない場合、前記特定手段は前記基準オブジェクトを特定しないことを特徴とする請求項２に記載の表示制御装置。
【請求項４】
前記表示領域に表示されている前記少なくとも１つのオブジェクトのうち、いずれかのオブジェクトを選択する選択手段を更に有し、
前記特定手段は、前記選択手段により選択されている状態のオブジェクトを前記基準オブジェクトとして特定することを特徴とする請求項１に記載の表示制御装置。
【請求項５】
前記選択されている状態の前記オブジェクトが無い場合、前記特定手段は、前記表示領域の所定の位置から最も近い位置に表示されている前記オブジェクトを前記基準オブジェクトとして特定することを特徴とする請求項４の表示制御装置。
【請求項６】
前記選択されている状態の前記オブジェクトが無い場合、前記表示制御手段は、前記表示領域の中央の位置を基準として縮尺変更後の地図の表示範囲を制御することを特徴とする請求項４の表示制御装置。
【請求項７】
前記所定の位置は前記表示領域の中央の位置であることを特徴とする請求項２、３、又は５に記載の表示制御装置。
【請求項８】
前記受け付け手段は、マウスを含み、
前記所定の位置はマウスカーソルの位置であることを特徴とする請求項２、３、又は５に記載の表示制御装置。
【請求項９】
前記受け付け手段は、タッチパネルを含み、
前記所定の位置は前記タッチパネルにおけるタッチ操作が受け付けられた位置であることを特徴とする請求項２、３、又は５に記載の表示制御装置。
【請求項１０】
前記受け付け手段により前記地図画像の前記表示範囲の縮尺を変更するための指示が受け付けられた場合、前記表示制御手段は、前記基準オブジェクトの位置情報に基づき、前記基準オブジェクトが、縮尺変更後も前記表示領域内に表示されるよう、縮尺変更後の地図画像の表示範囲を制御することを特徴とする請求項１乃至９のいずれか１項の表示制御装置。
【請求項１１】
縮尺を変更するための指示を受け付けるアイコンを表示するアイコン表示手段と、
前記アイコンの選択により前記地図画像の前記表示範囲の縮尺を変更する指示を受け付ける第２の受け付け手段とを更に有し、
前記第２の受け付け手段により前記地図画像の前記表示範囲の縮尺を変更する前記指示が受け付けられた場合、前記表示制御手段は、前記少なくとも１つのオブジェクトの位置に拘わらず、前記表示領域の中央の位置を基準として縮尺変更後の前記地図画像の表示範囲を決定することを特徴とする請求項１乃至１０のいずれか１項の表示制御装置。
【請求項１２】
被写体を撮像して画像データを生成する撮像手段と、
位置情報を取得する取得手段と、
前記撮像手段により生成された画像データに、前記取得手段により取得された位置情報を、撮像位置として対応づける対応付け手段とを更に有し、
前記表示制御手段は、前記画像データの存在を示す指標として前記少なくとも１つのオブジェクトを、前記撮像位置に基づく位置に表示するよう制御することを特徴とする請求項１乃至１１のいずれか１項に記載の表示制御装置。
【請求項１３】
前記表示制御手段は、前記基準オブジェクトを、他のオブジェクトとは区別した態様で表示することを特徴とする請求項１乃至１２のいずれか１項に記載の表示制御装置。
【請求項１４】
前記オブジェクトに対応づけられている位置情報は、緯度および経度の情報を含む請求項１２に記載の表示制御装置。
【請求項１５】
地図画像の一部の範囲を前記地図画像の表示範囲として、表示部の表示領域に表示可能な表示制御装置の制御方法であって、
位置情報が対応づけられている少なくとも１つのオブジェクトを、前記表示領域の地図画像上のうち前記位置情報に基づく位置に表示させ、
前記表示領域に表示されている前記少なくとも１つのオブジェクトのうち、少なくとも一つを基準オブジェクトとして特定し、
前記表示領域に表示される地図画像の縮尺を変更するための指示を受け付け、
前記地図画像の前記表示範囲の縮尺を大きくするための前記指示が受け付けられた場合、前記基準オブジェクトが、縮尺変更後も前記表示領域内に表示されるよう、縮尺変更後の地図画像の表示範囲を制御することを特徴とする制御方法。
【請求項１６】
コンピュータを請求項１乃至１４のいずれか１項に記載の表示制御装置の各手段として機能させるためのコンピュータが読み取り可能なプログラム。